(57)【特許請求の範囲】
【請求項１】
函付き本の上端又は下端、若しくは、書類保管部材の背表紙の上端又は下端の内面に貼着して使用する引出用部材において、
平帯状の紐部材を１８０°折り返し、両側の端部の方向が同じ方向を向くように並列させた状態で端部を両面テープで固定されてなり、前記端部と反対側に指を引っ掛けるための輪部が形成されてなることを特徴とする引出用部材。
【請求項２】
前記端部は、同じ側の面が同じ方向を向くように形成されていることを特徴とする請求項１に記載の引出用部材。
【請求項３】
前記両面テープは、前記輪部の内面側を形成する面の端部に設けられていることを特徴とする請求項１又は２に記載の引出用部材。
【請求項４】
両方の前記端部は、縫製により互いに固定されてなる縫製部を有することを特徴とする請求項１から３のいずれか１項に記載の引出用部材。
【請求項５】
請求項１から４のいずれか１項に記載の引出用部材が、両面テープによって背表紙の上端又は下端の内面に、輪部が背表紙の上端又は下端から延出するように貼着されていることを特徴とする書類保管部材。
【発明の詳細な説明】
【技術分野】
【０００１】
本発明は、引出用部材及び引出用部材を有する書類保管部材に関する。
【背景技術】
【０００２】
書庫や本棚に、隙間なく本や、書類、名刺、ＣＤ又はＤＶＤ等の光学記録媒体その他の部材を保管するためにファイルやバインダー等に保管された場合に、収納棚の縦寸法が狭いと上の棚板とファイルやバインダーとの隙間に指を差し込むことができず、取り出しが非常に困難になるという問題があった。
【０００３】
そのため、本、ファイルやバインダーを保管する棚の高さは、本、ファイルの縦寸法に対して、指が十分に入る程度の隙間を確保できる程度に高さに余裕がある棚を使用しなければならなかった。そのため、本来確保することができる棚数よりも少ない棚しか確保することができず、効率が悪くなるという問題があった。
【０００４】
こうした問題点を解決するものとして、プラスチックケース・ファイルブックの綴じ側の外側部背面に各種形状のつまみ・取っ手、紐又は帯状の紐を適所に設けることにより、縦寸法の間隔の狭い書庫・本箱等の収納棚等 においてプラスチックケース・ファイルブック・書籍が取り出しやすくしたものが提案されている（特許文献１）。
【０００５】
しかしながら、かかるプラスチックケース・ファイルブックは、外側部背面に各種形状のつまみ等を設けるのみであるため、背面の表示部の機能を阻害し、背面の表示が見にくくなるという問題があった。また、各種つまみをつままなければならないため、多くの書類が綴じられており、重量があるプラスチックケース・ファイルブックの場合には、相当の力でつままないと引き出すことができず、非常に使いづらいという問題点があった。
【０００６】
また、各種つまみを圧着、粘着テープ、又は接着で外側部背面に取り付ける場合、実際には相当強力な粘着テープや接着剤を使用しないと引き出す際に外れてしまうという問題もあった。
【先行技術文献】
【特許文献】
【０００７】
【特許文献１】特開２００７−２２０４８号公報
【発明の概要】
【発明が解決しようとする課題】
【０００８】
そこで、本発明は、かかる問題点を解決するためになされたものであり、すでに市販されている函付き本や、既存のファイルやバインダー等に取り付けてすぐに使用することができ、かつ、つまむことなく指を引っ掛けるのみで容易に、函付き本、ファイルやバインダー等の書類保管部材を棚から引き出すことができる引出用部材及びこの引出用部材を有する書類保管部材を提供することを目的とする。
【課題を解決するための手段】
【０００９】
本発明は、上述の目的を達成するために以下の手段を採った。
【００１０】
本発明にかかる引出用部材は、
函付き本の上端又は下端、若しくは、書類保管部材の背表紙の上端又は下端の内面に貼着して使用する引出用部材において、
平帯状の紐部材を１８０°折り返し、両側の端部の方向が同じ方向を向くように並列させた状態で端部を両面テープで固定されてなり、前記端部と反対側に指を引っ掛けるための輪部が形成されてなることを特徴とする。
【００１１】
本発明にかかる引出用部材によれば、平帯状の紐部材を１８０°折り返して端部が同じ方向を向くように並列させることで、大きな面積の接合領域を確保することができ、函付き本やファイルやバインダーといった書類保管部材に対して大きな面積を使用して両面テープで接合することができる。そのため、函付き本や書類保管部材に対して強力に取り付けることができる。また、平帯状の紐を使用することで、輪部の端部は平面部が内側となるようなリング状の輪部が形成され、指を入れることで指の腹で紐部材の平面を容易に引っ掛けることができる。このように、本発明にかかる引出用部材によれば、強い力でつまむ必要がなく、引っ掛けて引くという動作のみで容易に函付き本や書類保管部材を棚から引き出すことができる。
【００１２】
また、本発明にかかる引出用部材において、前記端部は、同じ側の面が同じ方向を向くように形成されていることを特徴とするものであってもよい。
【００１３】
かかる構成を採用することによって、輪部の端部は平面部が内側となるようなリング状の輪部が形成され、一方側が広く開口し、他方側が狭い開口に形成される。そのため、指を入れやすく、かつ指を入れることで指の腹で紐部材の平面を容易に引っ掛けることができる。また、より指を引っ掛けやすく、引き出す際にも指が外れる可能性を低減して、より効果的に函付き本や書類保管部材を本棚から引き出すことができる。
【００１４】
さらに、本発明にかかる引出用部材において、前記両面テープは、前記輪部の内面側を形成する面の端部に設けられていることを特徴とするものであってもよい。
【００１５】
かかる構成を採用することによって、引出用部材を函付き本の上端面又は書類保管部材の背表紙の上端の内面に、輪部が背表紙の上端から延出するように両面テープで貼着すると、函付き本や書類保管部材の上端部に、下側が開口した輪状となるように輪部が配置される。そのため、輪部に対して下方から上棚に向かって指を挿入することによって、容易に輪部に指を引っ掛けることができる。また、引出用部材を函付き本の下端面又は書類保管部材の背表紙の下端の内面に、輪部が背表紙の下端から延出するように両面テープを貼着すると、上側が開口した輪状となるように輪部が配置される。そのため、輪部に対して上方から下棚に向かって指を挿入することによって、容易に輪部に指を引っ掛けることができる。このため、指を引っ張ることによって容易に棚からファイルを取り出すことができる。
【００１６】
さらに、本発明にかかる引出用部材において、両方の前記端部は、縫製により互いに固定されてなる縫製部を有することを特徴とするものであってもよい。
【００１７】
かかる構成を採用することによって、両方の端部同士が離れる可能性を低減することができる。
【００１８】
さらに、本発明は、上述した引出用部材が、両面テープによって背表紙の上端又は下端の内面に、輪部が背表紙の上端又は下端から延出するように貼着されていることを特徴とする書類保管部材を提供する。
【００１９】
かかる構成を採用することによって、上述した効果を有する書類保管部材を提供することができる。
【図面の簡単な説明】
【００２０】
【図１】図１は、実施形態にかかる引出用部材１００の構成の概略を示す斜視図である。
【図２】図２は、実施形態にかかる引出用部材１００の構成の概略を示す正面図及び背面図である。
【図３】図３は、実施形態にかかる引出用部材１００をファイル１１０に取り付けた状態を示す斜視図である。
【図４】図４は、実施形態にかかる引出用部材１００を函付き本１２０の函に取り付けた状態を示す斜視図である。
【発明を実施するための形態】
【００２１】
次に、本発明にかかる引出用部材１００及びこの引出用部材１００が貼着された書類保管部材としてファイル１１０を例として実施形態について、図を参照しつつ詳細に説明する。なお、以下に説明する実施の形態及び図面は、本発明の実施形態の一部を例示するものであり、これらの構成に限定する目的に使用されるものではなく、本発明の要旨を逸脱しない範囲において適宜変更することができる。
【００２２】
図１には、実施形態にかかる引出用部材１００の斜視図が示されている。本実施形態にかかる引出用部材１００は、図１Ａに示すように、平らな帯状の紐部材１０と、両面テープ２０と、を備えている。紐部材１０は、プラスチック製のシート、編み紐等、種々のものを選択することができる。幅は、限定するものではないが、５．０ｍｍ〜３．０ｃｍのものを使用するとよい。かかる幅のものを使用することで、指を引っ掛けやすい輪部１１とすることができる。紐部材１０は、図１Ｂに示すように、１８０°折り返されて、端部１２の方向Ａが同じ方向に向くように並列に配置し、両面テープ２０で固定する。これにより、端部１２の反対側に輪部１１が形成される。この際に、端部１２は、同じ側の面が同じ側に配置されるように端部１２同士を並列に配置することが好ましい。このように構成することによって、この際に、輪部１１の端面１１ａ（端部１２と反対側の最も遠い紐部材１０の部位）は、端部１２の面に対して角度を有する面に形成され、輪部１１において内側に配置される面１５（以下、「内面」という。）の側が開いた開口側となり、反対側の面１６（以下、「外面」という。）は、狭い開口に形成される。これにより、内面１５側からは、指を挿入して輪部１１に指を引っ掛けやすいものとなる。好ましくは、輪部１１の端面１１ａは、内面１５の開口側が端部１２に近くなるように斜めに形成するとよい。このような面とすることで、指を引っ掛けやすく、引き出す際に指がすべって輪部１１から指が外れることを低減することができる。さらに、図１Ｂに示すように、任意に互いの位置を固定することができるように縫製された縫製部１３を設けても良い。縫製部１３の縫い目の形態は特に限定するものではなく、互いに端部１２が離れることがないように縫製されていればよい。このように端部１２を縫製することによって、端部１２同士が分離される可能性を低減することができる。
【００２３】
両面テープ２０は、図１Ｂに示すように、紐部材１０の両側の端部１２に跨がるようにして取り付けられる。本発明では、平たい帯状の紐部材１０であることに加え、端部１２が並列に配置されていることから、紐部材１０の幅の２倍の接着面積とすることができるため、より強力に函付き本１２０やファイル１１０に取り付けることができる。なお、両面テープ２０は、輪部１１の内面側と同じ側の面の端部１２に設けることが好ましい。理由は後述する。
【００２４】
こうして作製された引出用部材１００は、書類、名刺等の紙類を保管するファイルや、ＣＤ−ＲＯＭやＤＶＤ等の光学記録媒体等を保管するバインダー等の書類保管部材、又は函付き本１２０に貼着して使用される。以下、引出用部材１００を書類保管部材としてファイル１１０に取り付けて使用する方法について説明する。引出用部材１００は、図２に示すように、背表紙１１０ａの上端１１０ｂの内面側（裏面側）に両面テープ２０で貼着し、輪部１１が上端１１０ｂから延出するようにして使用される。このように貼着することで、本棚にファイル１１０を収納した場合に、上方の棚によって、図３に示すように、正面側に折れるようにして配置され、開口が下面側となるように配置される。そのため指を輪部１１の下側から上の棚の下面に押し付けるように指を配置することで、指を輪部１１の中に配置でき、そのまま指を手前に引き出すことで、輪部１１の端面１１ａに指が引っかかり、ファイル１１０を引き出すことができる。また引き出す際に、両面テープ２０による貼着部は、背表紙１１０ａの内面側であるので、引出用部材１００を引っ張る際には、接着面に押し付けるように力が加わるので、引出用部材１００がファイル１１０から外れる可能性を低減することができる。また、引出用部材１００は、背表紙１１０ａの下端の内面側に輪部１１が下端から延出するように貼着して使用してもよい。この場合は、図３に対し上下が逆さまとなるように取り付けられる。このように貼着することで、棚にファイル１１０を収納した場合に、下方の棚によって、正面側に折れるようにして配置され、開口が上面側となるように配置される。そのため指を輪部１１の上側から下の棚の上面に押し付けるように指を配置することで、指を輪部１１の中に配置でき、そのまま指を手前に引き出すことで、輪部１１の端面１１ａに指が引っかかり、引き出すことができる。
【００２５】
次に、函付き本１２０に使用する方法について、図４に沿って説明する。引出用部材１００は、図４に示すように、本を収容する函１２０ｄの上端１２０ｂの上面に両面テープ２０で貼着し、輪部１１が上端１２０ｂから前方に延出するようにして使用される。このように貼着することで、本棚に函１２０ｄ付き本を収納した場合に、上方の棚によって、正面側に折れるようにして配置され、開口が下面側となるように配置される。そのため指を輪部１１の下側から上の棚の下面に押し付けるように指を配置することで、指を輪部１１の中に配置でき、そのまま指を手前に引き出すことで、輪部１１の端面１１ａに指が引っかかり、函付き本１２０を引き出すことができる。また引き出す際に、両面テープ２０による貼着部は、函１２０ｄの上面であるので、引出用部材１００を引っ張る際には、接着面にスライドする方向に力が加わるので、引出用部材１００がファイル１１０から外れる可能性を低減することができる。なお、引出用部材１００は、本を収容する函１２０ｄの下端１２０ｃの下面に両面テープ２０で貼着し、輪部１１が上端１２０ｂから前方に延出するようにして使用してもよい。
【００２６】
このように、本発明にかかる引出用部材１００によれば、既存の函付き本１２０や、ファイル又はバインダー等の書類保管部材に貼着するだけで、正面側に開口を有し指の入れやすい輪部１１が形成され、指を挿入し、引くという動作で容易に函付き本１２０や書類保管部材を棚から取り出すことができる。そのため、棚の縦寸法は、使用する函付き本１２０や書類保管部材に対して、わずかの隙間ですむため、本棚等を効率的に使用することができる。
【産業上の利用可能性】
【００２７】
上述した実施の形態で示すように、ファイルを取り出すための部材として産業上利用可能である。
【符号の説明】
【００２８】
１０…紐部材、１１…輪部、１１ａ…端面、１２…端部、１３…縫製部、１５…内面、１００…引出用部材、１１０…ファイル、１１０ａ…背表紙、１１０ｂ…上端、１２０…函付き本、１２０ｂ…上端、１２０ｃ…下端、１２０ｄ…函
【要約】
【課題】市販されているファイルやバインダー等のファイルに取り付けてすぐに使用することができ、かつ、つまむことなく指を引っ掛けるのみで容易にファイルやバインダー等のファイルを取り出すことができる引出用部材及びこの引出用部材が貼着されたファイルを提供する。
【解決手段】
本発明にかかる引出用部材１００は、平帯状の紐を１８０°折り返し、端部側が同じ方向を向くように並列させた状態で縫製された縫製部と、前記縫製部と反対側に指を引っ掛けるための輪部と、が形成されてなる紐部材と、前記縫製部の全部又は一部に取り付けられた両面テープと、を備えたことを特徴とする。
【選択図】図１【図１】
0006842140.tif 000002
【図２】
0006842140.tif 000003
【図３】
0006842140.tif 000004
【図４】
0006842140.tif 000005